(57)【特許請求の範囲】
【請求項１】
被記録媒体が載置可能なトレイと、
第１向きへ延びており、上記トレイが通過する搬送路と、
上記搬送路に設けられており、上記トレイに載置された被記録媒体にインク滴を吐出して画像記録を行う記録部と、
上記搬送路において上記記録部より上記第１向き下流側に設けられており、上記トレイを搬送する第１搬送部と、
上記搬送路において上記記録部より上記第１向き上流側に設けられており、上記トレイを搬送する第２搬送部と、
上記第２搬送部より上記第１向き上流側に設けられており、上記第１向き上流側から上記第２搬送部へ向かって挿入される上記トレイの位置を案内するトレイガイドと、を備えており、
上記トレイガイドは、
上記第１向きへ上記トレイをスライド可能に支持する支持面を有するベースプレートと、
上記第１向きと直交し且つ上記ベースプレートの支持面に沿った第２方向へ離間されて設けられており、上記第２搬送部へ向かって挿入される上記トレイの幅方向の両端の位置をそれぞれ案内する一対のサイドガイドと、を備えており、
上記一対のサイドガイドは、
上記第２方向に沿った離間距離が上記トレイに当接可能な第１距離の一対の第１ガイド部と、
上記第１ガイド部より上記第１向き下流側に配置されており、上記第２方向に沿った離間距離が上記第１距離よりも広い第２距離の一対の第２ガイド部と、を備えており、
上記第１ガイド部の上記第１向きに沿った方向における配置位置は、上記第２搬送部のみにより搬送される上記トレイの上記第１向き上流端より上記第１向き下流側であり、且つ、上記第１搬送部及び上記第２搬送部により搬送される上記トレイの上記第１向き上流端より上記第１向き上流側であるインクジェット記録装置。
【請求項２】
上記第１ガイド部は、上記支持面と直交し且つ上記第１向きに沿って延びる第１ガイド面を有するものである請求項１に記載のインクジェット記録装置。
【請求項３】
上記第２ガイド部は、上記支持面と直交し且つ上記第１向きへ離間距離が広くなるように上記第１向きに対して傾斜された第２ガイド面をそれぞれ有するものである請求項１または２に記載のインクジェット記録装置。
【請求項４】
上記第１ガイド部は、上記第２方向に沿って相互に突出し、かつ上記第１向きに沿って複数が並べられた各突起の先端により構成されたものである請求項１に記載のインクジェット記録装置。
【請求項５】
被記録媒体が載置可能なトレイと、
第１向きへ延びており、上記トレイが通過する搬送路と、
上記搬送路に設けられており、上記トレイに載置された被記録媒体にインク滴を吐出して画像記録を行う記録部と、
上記搬送路において上記記録部より上記第１向き下流側に設けられており、上記トレイを搬送する第１搬送部と、
上記搬送路において上記記録部より上記第１向き上流側に設けられており、上記トレイを搬送する第２搬送部と、
上記第２搬送部より上記第１向き上流側に設けられており、上記第１向き上流側から上記第２搬送部へ向かって挿入される上記トレイの位置を案内するトレイガイドと、を備えており、
上記トレイガイドは、
上記第１向きへ上記トレイをスライド可能に支持する支持面を有するベースプレートと、
上記第１向きと直交し且つ上記ベースプレートの支持面に沿った第２方向へ離間されて設けられた一対のサイドガイドと、を備えており、
上記トレイは、
上記第１向きに沿って延びており、上記一対のサイドガイドに摺接可能な幅方向の両端を有する第１幅部と、
上記第１幅部より上記第１向き上流側に配置されており、上記第１幅部の両端間の離間距離よりも狭い離間距離の両端を有する第２幅部と、を備えており、
上記第１幅部の上記第１向きに沿った方向における位置は、上記トレイが上記第２搬送部のみにより搬送される際に上記サイドガイドに摺接可能な位置であり、且つ、上記トレイが上記第１搬送部及び上記第２搬送部により搬送される際に上記サイドガイドに接触しない位置であるインクジェット記録装置。
【請求項６】
上記第２幅部の両端は、上記第１向き上流側へ向かって徐々に幅狭となるテーパ形状である請求項５に記載のインクジェット記録装置。
【請求項７】
上記トレイガイドは、上記支持面の上方に配置されて上記支持面と対向する上ガイドを更に備えており、
上記ベースプレートは、上記支持面より上記第１向き上流側において上記支持面から下方へ向かって傾斜する第１傾斜面を有するものである請求項１から６のいずれかに記載のインクジェット記録装置。
【請求項８】
上記トレイガイドのベースプレートは、上記支持面とは反対側の下面の一部として、上記第１向き上流側へ向かって下方へ傾斜する第２傾斜面を有しており、
上記トレイガイドは、上記支持面が上記トレイを支持可能な第１姿勢、及び上記第２傾斜面が上記搬送路と重なる第２姿勢に姿勢変化可能に設けられたものである請求項１から７のいずれかに記載のインクジェット記録装置。
【請求項９】
上記支持面は、上記第１搬送部により搬送される上記トレイの上記第１向き上流端よりも上流側に配置されており、
上記支持面より上記第１向き下流側には、上記支持面より下方であって、且つ上記第１搬送部及び上記第２搬送部により搬送されるトレイの下面より下方となる位置に配置されており、上記支持面の上記第１向き下流端から上記第１向きへ延びる第３ガイド面を有するものである請求項１から８のいずれかに記載のインクジェット記録装置。
【発明の詳細な説明】
【技術分野】
【０００１】
本発明は、被記録媒体が載置されたトレイを搬送して被記録媒体に画像を記録するインクジェット記録装置に関する。
【背景技術】
【０００２】
ＣＤやＤＶＤなどの記録メディアである被記録媒体が載置されたトレイを搬送ローラにより搬送して被記録媒体に画像を記録するインクジェット記録装置がある（例えば、特許文献１参照）。
【０００３】
特許文献１に記載されたインクジェット記録装置は、トレイの幅方向の両端に当接することによりトレイの斜行を防止する一対のサイドガイドが設けられたトレイガイドを備えている。ユーザにより一対のサイドガイド間に挿入されたトレイは、搬送ローラの一方の向きの回転により装置本体内に引き込まれ、被記録媒体に画像が記録された後、搬送ローラの他方の向きの回転により装置本体から出てくる。
【先行技術文献】
【特許文献】
【０００４】
【特許文献１】特開２００４−４２３９２号公報
【発明の概要】
【発明が解決しようとする課題】
【０００５】
トレイの搬送中にサイドガイドがトレイと当接するとトレイに搬送抵抗が生じる。生じた搬送抵抗は、搬送ローラの回転量とトレイの移動量との間にずれを生じさせ、画像記録の精度を低下させる。
【０００６】
本発明は、前述された事情に鑑みてなされたものであり、その目的とするところは、画像記録の精度を高めることができる機構を提供することにある。
【課題を解決するための手段】
【０００７】
(1)  本発明のインクジェット記録装置は、被記録媒体が載置可能なトレイと、第１向きへ延びており、上記トレイが通過する搬送路と、上記搬送路に設けられており、上記トレイに載置された被記録媒体にインク滴を吐出して画像記録を行う記録部と、上記搬送路において上記記録部より上記第１向き下流側に設けられており、上記トレイを搬送する第１搬送部と、上記搬送路において上記記録部より上記第１向き上流側に設けられており、上記トレイを搬送する第２搬送部と、上記第２搬送部より上記第１向き上流側に設けられており、上記第１向き上流側から上記第２搬送部へ向かって挿入される上記トレイの位置を案内するトレイガイドと、を備える。上記トレイガイドは、上記第１向きへ上記トレイをスライド可能に支持する支持面を有するベースプレートと、上記第１向きと直交し且つ上記ベースプレートの支持面に沿った第２方向へ離間されて設けられており、上記第２搬送部へ向かって挿入される上記トレイの幅方向の両端の位置をそれぞれ案内する一対のサイドガイドと、を備える。上記一対のサイドガイドは、上記第２方向に沿った離間距離が第１距離の一対の第１ガイド部と、上記第１ガイド部より上記第１向き下流側に配置されており、上記第２方向に沿った離間距離が上記第１距離よりも広い第２距離の一対の第２ガイド部と、を備える。上記第１ガイド部の上記第１向きに沿った方向における配置位置は、上記第２搬送部のみにより搬送される上記トレイの上記第１向き上流端より上記第１向き下流側であり、且つ、上記第１搬送部及び上記第２搬送部により搬送される上記トレイの上記第１向き上流端より上記第１向き上流側である。
【０００８】
第２搬送部より第１向き上流側からユーザにより搬送路へ挿入されるトレイは、トレイガイドに支持され、且つ幅方向の両端がトレイガイドのサイドガイドの第１ガイド部に当接することにより斜行が防止されて第２搬送部へ案内される。第２搬送部に到達したトレイは、第２搬送部により第１搬送部まで搬送される。第１搬送部に到達したトレイは、第１搬送部及び第２搬送部により搬送される。トレイが第１搬送部及び第２搬送部により搬送される際に、記録部により、トレイに載置された被記録媒体に画像が記録される。第１搬送部によりトレイが搬送される際には、サイドガイドはトレイの幅方向の両端に接触せず、トレイに搬送抵抗を生じさせない。サイドガイドによる搬送抵抗がトレイに生じないから、第１搬送部がトレイを搬送する際の想定値と実際のトレイの移動量との間のずれが抑制される。その結果、画像記録の精度を高めることができる。サイドガイドの第２ガイド部は、第１搬送部により搬送される際に誤ってトレイガイドから脱落しようとするトレイに当接することによりトレイガイドからのトレイの脱落を防止する。
【０００９】
(2)  上記第１ガイド部は、上記支持面と直交し且つ上記第１向きに沿って延びる第１ガイド面を有するものであってもよい。第１ガイド面とトレイの両端とが当接することにより、支持面上での第１ガイド部を支点としたトレイの回動が防止される。
【００１０】
(3)  上記第２ガイド部は、上記支持面と直交し且つ上記第１向きへ離間距離が広くなるように上記第１向きに対して傾斜された第２ガイド面をそれぞれ有するものであってもよい。第１向きと反対向きへ搬送される際に誤ってトレイガイドから脱落しようとするトレイは、第２ガイド面に摺接することによりトレイガイドからの脱落が防止されると共に第１ガイド部へ案内され、装置内で詰まることがない。
【００１１】
(4)  上記第１ガイド部は、上記第２方向に沿って相互に突出し、かつ上記第１向きに沿って複数が並べられた各突起の先端により構成されたものであってもよい。複数個の突起が第１向きへ並んでいるから、支持面上での突起を支点としたトレイの回動が防止される。
【００１２】
(5)  本発明のインクジェット記録装置は、被記録媒体が載置可能なトレイと、第１向きへ延びており、上記トレイが通過する搬送路と、上記搬送路に設けられており、上記トレイに載置された被記録媒体にインク滴を吐出して画像記録を行う記録部と、上記搬送路において上記記録部より上記第１向き下流側に設けられており、上記トレイを搬送する第１搬送部と、上記搬送路において上記記録部より上記第１向き上流側に設けられており、上記トレイを搬送する第２搬送部と、上記第２搬送部より上記第１向き上流側に設けられており、上記第１向き上流側から上記第２搬送部へ向かって挿入される上記トレイの位置を案内するトレイガイドと、を備える。上記トレイガイドは、上記第１向きへ上記トレイをスライド可能に支持する支持面を有するベースプレートと、上記第１向きと直交し且つ上記ベースプレートの支持面に沿った第２方向へ離間されて設けられた一対のサイドガイドと、を備える。上記トレイは、上記第１向きに沿って延びており、上記一対のサイドガイドに摺接可能な幅方向の両端を有する第１幅部と、上記第１幅部より上記第１向き上流側に配置されており、上記第１幅部の両端間の離間距離よりも狭い離間距離の両端を有する第２幅部と、を備える。上記第１幅部の上記第１向きに沿った方向における位置は、上記トレイが上記第２搬送部のみにより搬送される際に上記サイドガイドに摺接可能な位置であり、且つ、上記トレイが上記第１搬送部及び上記第２搬送部により搬送される際に上記サイドガイドに接触しない位置である。
【００１３】
第２搬送部より第１向き上流側からユーザにより搬送路に挿入されるトレイは、トレイガイドに支持され、且つ第２幅部の幅方向の両端がトレイガイドのサイドガイドに摺接することにより第２搬送部へ案内される。第２搬送部へ到達したトレイは、第２搬送部により第１搬送部まで搬送される。第１搬送部に到達したトレイは、第１搬送部及び第２搬送部により搬送される。トレイが第１搬送部及び第２搬送部により搬送される際に、記録部により、トレイに載置された被記録媒体に画像が記録される。第１搬送部によりトレイが搬送される際には、サイドガイドは、トレイに接触せず、トレイに搬送抵抗を生じさせない。サイドガイドによる搬送抵抗がトレイに生じないから、第１搬送部がトレイを搬送する際の計算値と実際のトレイの移動量との間のずれが抑制される。その結果、画像記録の精度を高めることができる。トレイの第２幅部は、第１搬送部により搬送される際に誤ってトレイガイドから脱落しようとするトレイに当接することによりトレイガイドからのトレイの脱落を防止する。
【００１４】
(6)  上記第２幅部の両端は、上記第１向き上流側へ向かって徐々に幅狭となるテーパ形状であってもよい。第１向きと反対向きへ搬送される際に誤ってトレイガイドから脱落しようとするトレイは、第２幅部のテーパ状の両端がトレイガイドのサイドガイドに摺接することによりトレイガイドからの脱落が防止されると共に一対のサイドガイド間へ案内され、装置内で詰まることがない。
【００１５】
(7)  上記トレイガイドは、上記支持面の上方に配置されて上記支持面と対向する上ガイドを更に備えており、上記ベースプレートは、上記支持面より上記第１向き上流側において上記支持面から下方へ向かって傾斜する第１傾斜面を有するものであってもよい。第１傾斜面により、支持面と上ガイドとサイドガイドとに囲まれた空間にトレイを挿入し易くなる。
【００１６】
(8)  上記トレイガイドのベースプレートは、上記支持面とは反対側の下面の一部として、上記第１向き上流側へ向かって下方へ傾斜する第２傾斜面を有しており、上記トレイガイドは、上記支持面が上記トレイを支持可能な第１姿勢、及び上記第２傾斜面が上記搬送路と重なる第２姿勢に姿勢変化可能に設けられたものであってもよい。第１向きと反対向きへ搬送路を搬送されたシートは、第２傾斜面に摺接することにより搬送路の下方へ案内される。トレイガイドを利用してシートの案内を行うことができる。
【００１７】
(9)  上記支持面は、上記第１搬送部により搬送される上記トレイの上記第１向き上流端よりも上流側に配置されており、上記支持面より上記第１向き下流側には、上記支持面より下方であって、且つ上記第１搬送部及び上記第２搬送部により搬送されるトレイの下面より下方となる位置に配置されており、上記支持面の上記第１向き下流端から上記第１向きへ延びる第３ガイド面を有するものであってもよい。トレイは、第３ガイド面により第２搬送部へ案内される。第３ガイド面は、第１搬送部及び第２搬送部により搬送されるトレイの下面より下方となる位置に配置されているから、トレイが第１搬送部及び第２搬送部により搬送されるときはトレイと摺接することがなく、トレイに搬送抵抗を生じさせない。したがって、第３ガイド面は、画像記録の精度を低下させることなくトレイを第２搬送部へ案内することができる。
【発明の効果】
【００１８】
本発明では、第１搬送部での搬送におけるトレイの搬送抵抗を低減でき、その結果、第１搬送部がトレイを搬送する際の想定値と実際のトレイの移動量との間のずれを抑制でき、画像記録の精度を高めることができる。また、第２ガイド部により、誤搬送されるトレイのトレイガイドからの脱落を防止することができる。
【図面の簡単な説明】
【００１９】
【図１】画像記録装置の斜視図である。
【図２】プリンタ部の模式的な断面図である。
【図３】プリンタ部の後部の斜視図である。
【図４】トレイの斜視図である。
【図５】（Ａ）はプリンタ部の前部の斜視図であり、（Ｂ）はトレイガイドの平面図であり、（Ｃ）はトレイガイドの縦断面図である。
【図６】トレイガイドの姿勢変化を示す縦断面図である。
【図７】トレイガイドの姿勢変化を示す側面図である。
【図８】トレイの動作を説明する平面図である。
【図９】トレイの動作を説明する縦断面図である。
【図１０】変形例の動作を説明する平面図である。
【図１１】変形例のトレイの平面図である。
【発明を実施するための形態】
【００２０】
以下、本発明の実施形態について説明がされる。なお、以下に説明される実施形態は本発明の一例にすぎず、本発明の要旨を変更しない範囲で実施形態を適宜変更できることは言うまでもない。以下の説明では、ベクトルにおいて矢印を考慮して起点から終点に向かう進みが向きと表現され、ベクトルにおいて矢印を考慮せずに起点と終点とを結ぶ線上の往来が方向と表現される。また、以下の説明では、インクジェット記録装置１０が使用可能に設置された状態（図１の状態）を基準として上下方向７が定義され、表示部１３が設けられている側を前側（正面側）として前後方向８が定義され、インクジェット記録装置１０を前側（正面側）から見て左右方向９が定義される。
【００２１】
［インクジェット記録装置１０］
インクジェット記録装置１０は、下部のプリンタ部１１と上部のスキャナ部１２とを備えた概ね直方体の外形を呈しており、プリント、スキャン、コピー機能を有する複合機である。なお、スキャナ部１２は任意の構成である。
【００２２】
プリンタ部１１の制御は、不図示の制御部により行われる。制御部は、例えば基板に実装されたマイコンなどにより実現される。制御部は、不図示の入力部やパソコンなどの外部機器から入力された情報によりプリンタ部１１の動作を制御してシート１４（図２）や、トレイ８０に載置された記録メディア８４（図４）に画像を記録する。シート１４は、記録用紙、光沢紙、葉書、封書などである。記録メディア８４は、ＣＤ−ＲＯＭやＤＶＤ−ＲＯＭなどである。また、制御部は、プリンタ部１１の動作を制御してシート１４の表裏両面に画像を記録する。記録メディア８４は本発明の被記録媒体に相当する。
【００２３】
シート１４は、図１に示される給紙カセット１５に収容される。給紙カセット１５は、プリンタ部１１の前面側に設けられた開口１９から前方へ引き出し可能にプリンタ部１１の下部に収容されている。給紙カセット１５は、上部が開口する扁平な直方体状の外形を呈している。給紙カセット１５の上部に排紙受け１８が設けられている。
【００２４】
図２に示されるように、シート１４は、給紙カセット１５の底部１６に載置される。給紙カセット１５の後壁１７は、底部１６の後端から後方斜め上へ向かって延びている。後述の給送部２０により送り出されるシート１４は後壁１７に案内されて後方斜め上へ向かう。
【００２５】
図２に示されるように、プリンタ部１１は、給送部２０、搬送装置３０、記録部４０、検知機構及び不図示の駆動部を備える。駆動部は、制御部により駆動制御される複数個の駆動モータと、この駆動モータの駆動力を給送部２０や搬送装置３０や記録部４０のキャリッジ４１等に伝達する駆動伝達機構と、を備える。
【００２６】
［給送部２０］
給送部２０は、回転可能に設けられた支軸２１、支軸２１から後方斜め下へ向かって伸びるアーム２２、及びアーム２２に設けられた左右一対の給送ローラ２３を備える。支軸２１は、左右方向９に沿って延び、駆動部の第１駆動モータ（不図示）により回転される。アーム２２は、支軸２１に回動可能に一端が支持されており、他端において給送ローラ２３を回転可能に支持している。アーム２２は、給紙カセット１５が前後方向８へスライドされる際に給紙カセット１５に設けられた不図示の傾斜面に摺接することにより回動され、給送ローラ２３を給紙カセット１５に収容されたシート１４に押し付ける。給送ローラ２３は、複数個の伝達ギア２４により支軸２１の回転が伝達されることにより回転され、給紙カセット１５に収容されたシート１４を後方へ送り出す。後方へ送り出されたシート１４は搬送装置３０により搬送される。
【００２７】
［搬送装置３０］
図２に示されるように、搬送装置３０は、シート１４を挟んで搬送する第１搬送ローラ対５０、第２搬送ローラ対５４及びスイッチバックローラ対５８と、シート１４が通過する空間である第１搬送路３１及び第２搬送路３２と、を備える。第１搬送路３１及び第２搬送路３２は、給紙カセット１５の上方に配置されたプラテン３８や、複数個のガイド部材３３により区画された空間である。
【００２８】
第１搬送路３１は、シート１４が湾曲されて第１搬送向き３６へ搬送される湾曲部３４と、プラテン３８の上側を通過するように第１搬送向き３６における湾曲部３４の下流端へ向かって後方へ直線状に延びる直線部３５とを備える。直線部３５は本発明の搬送路に相当する。直線部３５が延びる後向き４７は本発明の第１向きに相当する。
【００２９】
第２搬送路３２は、給紙カセット１５の上方に配置されたプラテン３８と給紙カセット１５との間を通過し、第１搬送向き３６におけるプラテン３８の上流側の第１接続位置４５と、下流側の第２接続位置４６とにおいて第１搬送路３１と接続している。
【００３０】
第１搬送ローラ対５０は、第１搬送向き３６における第１接続位置４５とプラテン３８との間となる位置に配置されている。第１搬送ローラ対５０は、駆動部の第２駆動モータ及び駆動伝達機構により回転される第１回転軸５３に設けられた第１駆動ローラ５１と、ばねにより第１駆動ローラ５１に押圧される第１従動ローラ５２と、を備える。第１駆動ローラ５１は直線部３５の上側に配置されている。第１従動ローラ５２は直線部３５の下側に配置されている。第１搬送ローラ対５０は本発明の第１搬送部に相当する。
【００３１】
第２搬送ローラ対５４は、第１搬送向き３６におけるプラテン３８と第２接続位置４６との間となる位置に配置されている。第２搬送ローラ対５４は、駆動部の第２駆動モータにより回転される第２回転軸５７に設けられた第２駆動ローラ５５と、ばねにより第２駆動ローラ５５に押圧される第２従動ローラ５６と、を備える。第２駆動ローラ５５は直線部３５の下側に配置されている。第２従動ローラ５６は直線部３５の上側に配置されている。第２搬送ローラ対５４は本発明の第２搬送部に相当する。
【００３２】
スイッチバックローラ対５８は、第１搬送向き３６における第２接続位置４６より下流側に配置されている。また、スイッチバックローラ対５８は、排紙受け１８の上方に配置されている。スイッチバックローラ対５８は、駆動部の第２駆動モータにより回転される第３回転軸６１に設けられた第３駆動ローラ５９と、ばねにより第３駆動ローラ５９に押圧される第１従動ローラ６０と、を備える。第３駆動ローラ５９は直線部３５の下側に配置されている。第３従動ローラ６０は直線部３５の上側に配置されている。
【００３３】
給紙カセット１５から給送部２０により送り出されたシート１４は、第１搬送ローラ対５０及び第２搬送ローラ対５４により第１搬送向き３６へ搬送される。シート１４は、プラテン３８上において、後述される記録部４０により画像が記録される。記録部４０により一面（表面）に画像が記録されたシート１４は、片面印刷の場合、スイッチバックローラ対５８から排紙受け１８に排出される。両面印刷の場合、記録部４０により一面に画像が記録されたシート１４は、第１搬送向き３６における上流端（後端）が第２接続位置４６を越えるまでスイッチバックローラ対５８の一方の向きの回転により第１搬送向き３６へ搬送された後、スイッチバックローラ対５８の他方の向きの回転により第２接続位置４６から第２搬送路３２に進入する。シート１４は、スイッチバックローラ対５８により第２搬送路３２を第２搬送向き３９へ搬送され、第１接続位置４５から第１搬送路３１に進入し、表裏が反転されて第１搬送路３１を第１搬送向き３６へ搬送される。シート１４は、記録部４０により裏面に画像が記録された後、スイッチバックローラ対５８から排紙受け１８へ排出される。
【００３４】
［リンクプレート２６］
プラテン３８、第２回転軸５７及び第３回転軸６１は、図３に示されるリンクプレート２６により上下方向７へ移動される。リンクプレート２６は、前後方向８に移動可能にフレーム２７とプラテン３８との間に設けられており、後述されるトレイガイド９０（図５）により前後方向８へ移動される。リンクプレート２６は、例えば、プラテン３８と、第２回転軸５７を保持する第１ホルダと、第３回転軸６１を保持する第２ホルダとを支持する３つの傾斜面を備える。各傾斜面は、後方へ向かうにつれて下がるように形成されている。リンクプレート２６が前方へ移動されると、プラテン３８、第２回転軸５７及び第３回転軸６１が傾斜面を滑って下がる。リンクプレート２６が後方へ移動されると、プラテン３８、第２回転軸５７及び第３回転軸６１が傾斜面を滑って上がる。
【００３５】
リンクプレート２６の前端部には、トレイガイド９０の第１軸９３（図５）と係合する不図示の係合部が設けられている。図２に実線で示される第２姿勢にあるトレイガイド９０がユーザにより前方へ引き出されて図２に破線で示される第１姿勢に姿勢変化されると、図３に示されるリンクプレート２６が係合部においてトレイガイドに９０に引っ張られ、図３に示された位置から前方へ移動される。トレイガイド９０が第１姿勢から第２姿勢へ戻されると、係合部においてリンクプレート２６はトレイガイド９０に後方へ向かって押され、図３に示された位置へ戻される。つまり、トレイガイド９０が第２姿勢から第１姿勢に引き出されると、プラテン３８、第２回転軸５７に設けられた第２駆動ローラ５５、及び第３回転軸６１に設けられた第３駆動ローラ５９が、図２の実線で示された上側の位置から図２の破線で示された下側の位置へ移動され、直線部３５が上下方向７へ拡張される。トレイ８０は、拡張された直線部３５を通過する。
【００３６】
［記録部４０］
図２に示されるように、記録部４０は、プラテン３８の上方に配置されたキャリッジ４１と、キャリッジ４１に搭載された記録ヘッド４２と、を備える。キャリッジ４１は、前後一対のレール部材（不図示）間に跨って支持されており、レール部材により左右方向９へ沿って移動可能に支持されている。前後一対のレール部材は、左右のフレーム２７の上端部間にそれぞれ架設されている。キャリッジ４１は、駆動部の第３駆動モータにより移動される。記録ヘッド４２は、電力が供給されることにより、プラテン３８上を通過するシート１４、及びトレイ８０に載置された記録メディア８４（図４）へ向けてインク滴を吐出する。記録部４０は本発明の記録部に相当する。
【００３７】
［検知機構］
検知機構は、図２に示されるセンサ４８とエンコーダとを備える。センサ４８は、第１搬送向き３６における第１搬送ローラ対５０の上流側に配置されている。センサ４８は、例えば、発光ダイオード及びフォトダイオードを有するフォトインタラプタと、出没可能に第１搬送路３１に設けられた検出子と、で構成される。搬送されたシート１４により検出子が姿勢変化されることで発光ダイオードからの光がフォトダイオードに到達することが阻止され、または、光がフォトダイオードに到達するようになり、センサ４８の出力が変化する。つまり、検出子が設けられた箇所をシート１４が通過している間と通過していないときとでセンサ４８の出力が異なる。
【００３８】
エンコーダは、フォトインタラプタと、第１搬送ローラ対５０の第１回転軸５３に取り付けられたディスクと、を備え、このディスクに光が透過する透光部及び光を遮断する遮光部（図示せず）が設けられた構成を有している。ディスクが回転することで、透光部と遮光部とが交互にフォトインタラプタの光路上を通過し、エンコーダの出力が変化する。つまり、エンコーダの出力は、第１駆動ローラ５１の回転量に応じた回数で変化する。したがって、エンコーダの出力変化の回数は、シート１４及びトレイ８０の移動量に相当する。制御部は、エンコーダの出力変化をカウントするカウンタを備え、カウンタでのカウント数によりシート１４及びトレイ８０の移動量を検出する。制御部は、センサ４８の出力が変化した後におけるエンコーダの出力変化の回数により、シート１４又はトレイ８０の搬送向きにおける先端又は後端の位置を検出する。
【００３９】
［シート１４への画像記録］
給紙カセット１５に収容されたシート１４は、給送部２０により第１搬送路３２の湾曲部３４へ送り出され、湾曲部３４を通過して直線部３５に至る。シート１４は、直線部３５において、前端が記録ヘッド４２の下方の所定位置に到達するまで第１搬送ローラ対５０により搬送される。その後、シート１４は、左右方向９に移動されながらインク滴を吐出する記録ヘッド４２により１行の印刷がされる。１行の印刷後、第１搬送ローラ対５０により所定の距離だけ搬送される改行が行われる。所定の距離は検知機構により検知される。シート１４は、１行の印刷と改行とが交互に行われることで画像が記録される。シート１４は、前端が第２搬送ローラ対５４に到達すると、第１搬送ローラ対５０及び第２搬送ローラ対５４により搬送される。画像が記録されたシート１４は、スイッチバックローラ対５８により排紙受け１８に排出される。
【００４０】
［トレイ８０］
図４に示されるように、トレイ８０は、板状の樹脂成型品である。トレイ８０の上面８１には、記録メディア８４が嵌め込まれる円形状の凹部８２が設けられている。凹部８２の底面の中央部からは、記録メディア８４の中央部に形成された孔８５に挿通される円形状の凸部８３が突出されている。記録メディア８４は、凹部８２に嵌め込まれ、トレイ８０と共に搬送装置３０により直線部３５を搬送される。トレイ８０は本発明のトレイに相当する。
【００４１】
［トレイガイド９０］
図５（Ａ）〜（Ｃ）に示されるように、トレイガイド９０は、矩形板状のベースプレート９１と、ベースプレート９１の上面９２側に設けられた左右一対のサイドガイド１００とを備える。ベースプレート９１の左右の側端面の後部からは、左右一対の第１軸９３が突出されている。ベースプレート９１の左右の側端面の前部からは、左右一対の第２軸９４が突出されている。トレイガイド９０は本発明のトレイガイドに相当する。ベースプレート９１は本発明のベースプレートに相当する。
【００４２】
トレイガイド９０は、第１軸９３及び第２軸９４により左右一対のサイドフレーム７０に姿勢変化可能に支持されている。サイドフレーム７０は、左右方向９から見て矩形且つ板状の外形を呈している。サイドフレーム７０は、第１軸９３が挿通される第１カム溝７１、及び第２軸９４が挿通される第２カム溝７２を備える。図７（Ａ）に示される第２姿勢にあるトレイガイド９０は、ユーザにより前端部が押し下げられた後（図７（Ｂ））、前方へ引き出されることにより、第２姿勢よりも下方且つ前方に位置する図７（Ｃ）の第１姿勢に姿勢変化する。図６（Ａ）に示されるように、第２姿勢にあるトレイガイド９０は、直線部３５の上側に後端部９９が位置するように配置されている。図６（Ｂ）に示されるように、第１姿勢にあるトレイガイド９０は、スイッチバックローラ対５８よりも前側となる直線部３５の下側に位置している。第２姿勢は、シート１４が搬送される姿勢である。第１姿勢はトレイ８０が搬送される姿勢である。第１姿勢にあるトレイガイド９０は、ユーザによりプリンタ部１１の開口１９（図１）から直線部３５へ挿入されるトレイ８０を第２搬送ローラ５４のニップ位置へ案内する。
【００４３】
図５（Ａ）、（Ｂ）に示されるように、トレイガイド９０のサイドガイド１００は、左右方向９に対向する第１ガイド面１０１、第２ガイド面１０２及び第４ガイド面１０３を備える。第１ガイド面１０１は、トレイ８０の左右方向９の幅Ｗ１（図４）よりも僅かに広い第１距離Ｌ１で離間されている。プリンタ部１１の開口１９（図１）から挿入されるトレイ８０は、図８（Ａ）〜（Ｃ）及び図９（Ｂ）〜（Ｄ）に示されるように、ベースプレート９１の上面９２に支持され、且つ第１ガイド面１０１に当接することにより斜行が防止される。また、第１ガイド面１０１によりベースプレート９１上での回動が防止される。サイドガイド１００は本発明のサイドガイドに相当する。第１ガイド面１０１が形成された部位は本発明の第１ガイド部に相当する。第２ガイド面１０２が形成された部位は本発明の第２ガイド部に相当する。第１ガイド面１０１が離間された左右方向９は本発明の第２方向に相当する。第１距離Ｌ１は本発明の第１距離の一例である。
【００４４】
図８（Ａ）に示されるように、第１ガイド面１０１は、前後方向８におけるトレイ８０の長さＬ４が、第１ガイド面１０１の後端から第２搬送ローラ対５４のニップ位置までの第３距離Ｌ５より長く、第１ガイド面１０１の後端から第１搬送ローラ対５０のニップ位置までの第４距離Ｌ６より短くなる位置に設けられている。つまり、後向き４７（第１向き）に沿った方向における第１ガイド面１０１の配置位置は、第２搬送ローラ対５４のみにより搬送されるトレイ８０の第１向き上流端より第１向き下流側であり、且つ、第１搬送ローラ対５０及び上記第２搬送ローラ対５４により搬送されるトレイ８０の第１向き上流端より第１向き上流側である。したがって、図８（Ｃ）に示されるように、第１ガイド面１０１は、第２搬送ローラ対５４により後向き４７へ搬送されるトレイ８０の後端が第１搬送ローラ対５０と第２搬送ローラ対５４との間にあるときにトレイ８０の前端が通過する位置にある。
【００４５】
上述より、第１ガイド面１０１は、少なくとも、挿入されたトレイ８０を第２搬送ローラ対５４まで案内でき、且つ第１搬送ローラ対５０により搬送されるトレイ８０に搬送抵抗を与えない。トレイ８０は、第１搬送ローラ対５０により搬送される際に検知機構により移動量が検出される。したがって、サイドガイド１００は、改行において移動するトレイ８０の検知機構により検出された移動量と、実際のトレイ８０の移動量との間にずれを生じさせることがない。検知機構により検出される移動量と、実際のトレイ８０の移動量との間のずれは、画像記録の精度を低下させる。サイドガイド１００は、画像記録精度を低下させることなく、トレイ８０を第２搬送ローラ対５４のニップ位置まで案内することができる。なお、第１ガイド面１０１は、トレイ８０の後端が第１搬送ローラ対５０に到達する直前にトレイ８０の前端が通過する位置に設けられることが望ましい。第１ガイド面１０１は本発明の第１ガイド面に相当する。
【００４６】
図５（Ａ）〜（Ｃ）に示されるように、第２ガイド面１０２は、第１ガイド面１０１の後側に設けられている。第２ガイド面１０２は、後方へ向かうに従ってトレイガイド９０の左右方向９の中央部から離れるように第１ガイド面１０１に対して傾斜している。第２ガイド面１０２の後端は、第１距離Ｌ１よりも大きい離間距離Ｌ２で離間されている。つまり、左右の第２ガイド面１０２間の距離である第２距離Ｌ３は、第１距離Ｌ１と離間距離Ｌ２との間の値となり、第１距離Ｌ１よりも長い。第２ガイド面１０２は、誤って搬送されるトレイ８０が当接することによりトレイ８０がトレイガイド９０から脱落することを防止する。また、第２ガイド面１０２は、搬送不良となったトレイ８０を第１ガイド面１０１へ案内してトレイ８０を抜き取り可能とする。第２ガイド面１０２は本発明の第２ガイド面に相当する。第２距離Ｌ３は本発明の第２距離に相当する。
【００４７】
第４ガイド面１０３は、第１ガイド面１０１の前側に設けられている。第４ガイド面１０３は、前方へ向かうに従ってトレイガイド９０の左右方向９の中央部から離れるように第１ガイド面１０１に対して傾斜している。第４ガイド面１０３は、プリンタ部１１の開口１９（図１）から挿入されるトレイ８０を第１ガイド面１０１へ案内する。
【００４８】
各サイドガイド１００には、複数個の上ガイド１０４がそれぞれ設けられている。上ガイド１０４は、左右方向９におけるトレイガイド９０の中央部へ向かってサイドガイド１００から突出されており、ベースプレート９１の上面９２と上下方向７において対向している。トレイ８０は、ベースプレート９１の上面９２と、左右一対のサイドガイド１００と、複数個の上ガイド１０４とにより区画された空間に挿入される。上ガイド１０４は本発明の上ガイドに相当する。
【００４９】
トレイ８０をトレイガイド９０に挿入し易くするため、図５（Ｃ）に示されるように、ベースプレート９１は、前端部９５が中央部９６よりも低い位置となるように形成されている。前端部９５と中央部９６とを接続する接続部１０５には、上側の第１傾斜面９７と下側の第２傾斜面９８とが設けられている。第１傾斜面９７及び第２傾斜面９８は、前方に向かうに従って下がるように傾斜している。ユーザによりプリンタ部１１の開口１９（図１）から挿入されるトレイ８０は、図９（Ａ）に示されるように、前端部９５及び第１傾斜面９７により中央部９６へ案内される。図６（Ａ）に示されるように、第２傾斜面９８は、第２姿勢において直線部３５と重なるように設けられている。スイッチバックローラ対５８から排出されるシート１４は、第２傾斜面９８に当接することにより下方の排紙受け１８（図２）へ向かう。ベースプレート９１の中央部９６の上面１０７は本発明の支持面に相当する。第１傾斜面９７は本発明の第１傾斜面に相当する。第２傾斜面９８は本発明の第２傾斜面に相当する。
【００５０】
また、図６（Ｂ）に示されるように、第１姿勢にあるベースプレート９１は、後端部９９の上面１０６により、プリンタ部１１の開口１９から挿入されたトレイ８０を第２搬送ローラ対５４のニップ位置へ案内する。後端部９９は、トレイ８０が第１搬送ローラ対５０により搬送される際の搬送抵抗を低減するため、第１搬送ローラ対５０及び第２搬送ローラ対５４により搬送されるトレイ８０の下面よりも上面１０６が下方となるように形成されている。図９（Ｅ）に示されるように、上面１０６の前端から第１搬送ローラ対５０のニップ位置までの第５距離Ｌ７がトレイ８０の前後方向８の長さＬ４より僅かに大きくなるように、後端部９９の前後方向８の長さＬ８が決められている。したがって、ベースプレート９１の後端部９９の上面１０６は、トレイ８０が第１搬送ローラ対５０及び第２搬送ローラ対５４に搬送される際には、トレイ８０と接触せず、トレイ８０に搬送抵抗を生じさせない。つまり、ベースプレート９１の後端部９９の上面１０６は、第１搬送ローラ対５０によりトレイ８０が搬送される際にトレイ８０に搬送抵抗を生じさせることなく、図９（Ｂ）に示されるように、ユーザにより挿入されたトレイ８０を第２搬送ローラ対５４のニップ位置へ案内することができる。したがって、ベースプレート９１は、サイドガイド１００と同様に、画像記録の精度を低下させることなく、トレイ８０を第２搬送ローラ対５４のニップ位置へ案内することができる。ベースプレート９１の後端部９９の上面１０６は本発明の第３ガイド面に相当する。
【００５１】
［動作］
シート１４への画像記録の場合、図２に示される給送ローラ２３により給紙カセット１５に収容されたシート１４が第１搬送路３１へ送り出される。送り出されたシート１４は、第１搬送ローラ対５０及び第２搬送ローラ対５４により第１搬送向き３６へ搬送される。シート１４は、プラテン３８上において記録部４０により１行の印刷が行われた後、所定の移動量で搬送される改行が行われる。１行の印刷と改行とが交互に繰り返されてシート１４に画像が記録される。シート１４の所定の移動量での搬送は、検知機構のエンコーダの出力変化の回数により制御部が駆動モータの駆動を制御して行う。
【００５２】
画像が記録されたシート１４は、片面印刷の場合、スイッチバックローラ対５８から排出される。排出されたシート１４は、図６（Ａ）の第２姿勢にあるトレイガイド９０の第２傾斜面９８に当接して排紙受け１８（図２）へ向かい、排紙受け１８で受けられる。両面印刷の場合、記録部４０により一面に画像が記録されたシート１４は、スイッチバックローラ対５８により第２搬送路３２に送られ、第１接続位置４５から第１搬送路３１に進入し、表裏が反転されて第１搬送路３１を第１搬送向き３６へ搬送される。シート１４は、記録部４０により裏面に画像が記録された後、スイッチバックローラ対５８から排紙受け１８へ排出される。
【００５３】
記録メディア８４への画像記録の場合、図６（Ａ）の第２姿勢にあるトレイガイド９０がユーザにより前方へ引き出されて図６（Ｂ）の第１姿勢に姿勢変化される。図８（Ａ）及び図９（Ａ）、（Ｂ）に示されるように、プリンタ部１１の開口１９（図１）からユーザにより挿入されたトレイ８０は、第１傾斜面９７によりベースプレート９１の中央部９６の上面１０７に案内される。ユーザにより更に後方へ押し込まれたトレイ８０は、図８（Ｂ）及び図９（Ｃ）に示されるように、ベースプレート９１の後端部９９の上面１０６により第２搬送ローラ対５４のニップ位置へ案内される。第２搬送ローラ対５４のニップ位置へ到達したトレイ８０は、図８（Ｃ）及び図９（Ｄ）に示されるように、第２搬送ローラ対５４により、後方の第１搬送ローラ対５０へ向かって搬送され、図８（Ｄ）及び図９（Ｅ）に示されるように、第１搬送ローラ対５０に到達する。第１搬送ローラ対５０に到達したトレイ８０は、第１搬送ローラ５０対及び第２搬送ローラ対５４により後方へ向かって搬送される。記録メディア８４が記録ヘッド４２の下方を通過した後、トレイ８０は、第１搬送ローラ対５０及び第２搬送ローラ対５４により前方へ向かって搬送される。前方へ向かって搬送されるトレイ８０の移動量は、シート１４の移動量の検出と同様に、検知機構により検出される。記録メディア８４が記録ヘッド４２の下方に到達すると、記録ヘッド４２からインク滴が吐出されて記録メディア８４に画像が記録される。記録ヘッド４２により画像が記録される際は、トレイ８０は第１搬送ローラ対５０及び第２搬送ローラ対５４により搬送され、サイドガイド１００の第１ガイド面１０１は、トレイ８０の前端の前方にあり、トレイ８０の左右両端と接触していない。つまり、記録メディア８４への画像記録が行われている間は、サイドガイド１００は、トレイ８０に搬送抵抗を生じさせない。記録メディア８４への画像記録後、トレイ８０は、第２搬送ローラ対５４により前方へ向かって搬送され、トレイガイド９０上に戻される。
【００５４】
［本実施形態の効果］
図８（Ａ）〜（Ｃ）に示されるように、サイドガイド１００の第１ガイド面１０１は、ユーザにより挿入されるトレイ８０の後端が第２搬送ローラ対５４のニップ位置に到達して第２搬送ローラ対５４により搬送されるまでは、トレイ８０の斜行を防止する。また、図８（Ｅ）に示されるように、サイドガイド１００は、トレイ８０が第１搬送ローラ対５０により搬送されてトレイ８０の移動量が制御部により制御されている間はトレイ８０に当接せず、トレイ８０に搬送抵抗を与えない。したがって、サイドガイド１００の第１ガイド面１０１は、画像記録の精度を低下させることなくトレイ８０の斜行を防止して第２搬送ローラ対５４のニップ位置まで案内することができる。
【００５５】
また、サイドガイド１００の第２ガイド面１０２は、第１ガイド面１０１より幅が広く、且つ後方へ向かうに従って幅が広くなるように傾斜するように設けられており（図５（Ｂ））、トレイ８０が誤ってトレイガイド９０から脱落することを防止でき、且つ搬送不良となったトレイ８０を第１ガイド面１０１まで案内する。その結果、トレイ８０がプリンタ部１１の内部で詰まることが防止される。
【００５６】
また、トレイガイド９０のベースプレート９１の前端部９５は中央部９６よりも低い位置に形成されているから、前端部９５が低くなっている分だけトレイ８０を挿入する空間が大きくなっている（図９（Ａ））。また、挿入されるトレイ８０は、第１傾斜面９７により中央部９６の上面１０７に案内され、上面１０７と第１ガイド面１０１と上ガイド１０４とで囲まれた空間に進入する。したがって、ユーザによるトレイガイド９０へのトレイ８０の挿入が容易になる。
【００５７】
また、第２傾斜面９８が設けられることにより、スイッチバックローラ対５８から排出されるシート１４をトレイガイド９０を利用して排紙受け１８へ案内することができる（図６（Ａ））。
【００５８】
また、トレイ８０を第２搬送ローラ対５４のニップ位置に案内するベースプレート９１の後端部９９が中央部９６よりも低い位置に設けられて後端部９９は第１搬送ローラ対５０により搬送されるトレイ８０に搬送抵抗を与えないから、画像記録の精度が更に高められる（図９（Ｅ））。
【００５９】
［変形例１］
図１０に示されるように、本変形例では、サイドガイド１００（図５）の代わりにサイドガイド１１０がトレイガイド９０に設けられており、トレイ８０の代わりに図１１（Ａ）に示されるトレイ１２０が用いられている。その他の構成は上述の実施形態と同じである。なお、図１０では、サイドガイド１１０の構成を明瞭にするために上ガイド１０４（図５）の図示が省略されている。なお、図１１における上下方向７及び左右方向９は、トレイ１２０、１３０が搬送される姿勢での方向である。
【００６０】
図１０に示されるように、サイドガイド１１０は、トレイガイド９０のベースプレート９１の上面９２の左右両端部から突出された側壁１１１と、側壁１１１からベースプレート９１の左右方向９の中央部へ向かって突出された２個の突起１１２とを備える。２個の突起１１２は前後方向８に並んで設けられている。２個の突起１１２が設けられることにより、ベースプレート９１上でのトレイ１２０の回動が防止される。突起１１２は本発明の突起に相当する。
【００６１】
図１１（Ａ）に示されるように、トレイ１２０は、後部の第１幅部１２１と、前部の第２幅部１２２とを備える。第１幅部１２１の左右方向９の幅Ｗ２は、第２幅部１２２の左右方向９の幅Ｗ３よりも広い。トレイ１２０は、第１幅部１２１の幅Ｗ２が左右の突起１１２の突出の先端間の離間距離Ｌ１２（図１０（Ｂ））よりも僅かに狭くなるように形成されている。離間距離Ｌ１２は本発明の第１距離の一例である。
【００６２】
図１０（Ａ）に示されるように、突起１１２は、前後方向８におけるトレイ１２０の第１幅部１２１の長さＬ９が、後側の突起１１２の突出の先端から第２搬送ローラ対５４のニップ位置までの第６距離Ｌ１０より長く、後側の突起１１２の突出の先端から第１搬送ローラ対５０のニップ位置までの第７距離Ｌ１１より短くなる位置に設けられている。したがって、図１０（Ｃ）に示されるように、プリンタ部１１の開口１９（図１）から挿入されたトレイ１２０の後端が第１搬送ローラ対５０と第２搬送ローラ対５４との間にあるときに、トレイ１２０の第１幅部１２１の前端が後側の突起１１２間を通過する。つまり、第１幅部１２１の後向き４７（第１向き）に沿った方向における位置は、トレイ１２０が第２搬送ローラ対５４のみにより搬送される際にサイドガイド１１０に摺接可能な位置であり、且つ、トレイ１２０が第１搬送ローラ対５０及び第２搬送ローラ対５４により搬送される際にサイドガイド１１０に接触しない位置である。
【００６３】
上述より、本変形例では、実施形態と同様に、左右一対のサイドガイド１１０は、トレイ１２０が第２搬送ローラ対５４に到達するまではトレイ１２０の斜行を防止し、且つ、トレイ１２０が第１搬送ローラ対５０により搬送される際にはトレイ１２０に搬送抵抗を与えない。サイドガイド１１０は、画像記録の精度を低下させることなくトレイ１２０の斜行を防止できる。第１幅部１２１は本発明の第１幅部に相当する。第２幅部１２２は本発明の第２幅部の一例である。
【００６４】
［変形例２］
本変形例では、図１１（Ｂ）、（Ｃ）に示されるように、トレイ８０（図５）又はトレイ１２０（図１１（Ａ））の代わりに、トレイ１３０又はトレイ１４０が用いられる。その他の構成は上述の実施形態又は変形例１の構成と同じである。
【００６５】
図１１（Ｂ）に示されるトレイ１３０は、後部の第１幅部１２１と、第１幅部１２１よりも左右方向９の幅の狭い前部の第２幅部１３２とを備える。第２幅部１３２は、前方へ向かうに従って幅が狭くなるように左右両端が傾斜する構成を有している。第２幅部１３２が設けられることにより、搬送不良となっても第１ガイド面１０１（図５）又は突起１１２（図１０）までトレイ１３０が案内され、プリンタ部１１の内部でトレイ１３０が詰まることが防止される。第２幅広部１３２は本発明の第２幅部の一例である。
【００６６】
図１１（Ｃ）に示されるトレイ１４０は、第２幅部１３２から前方へ向かって突出する被操作片１４３を備える。被操作片１４３によりユーザがトレイ１４０をプリンタ部１１へ挿入又はプリンタ部１１から引き出し易くなる。
【００６７】
上述の実施形態では、第２搬送路３２及びスイッチバックローラ対５８が設けられて両面印刷機能を有するインクジェット記録装置１０に本発明が用いられた例が説明されたが、第２搬送路３２及びスイッチバックローラ対５８が設けられておらず、片面印刷のみが可能なインクジェット記録装置にも本発明を用いることができる。このインクジェット記録装置では、前後方向８における第２搬送ローラ対５４とスイッチバックローラ対５８との離間距離だけ実施形態よりもトレイガイド９０が前方へ寄せて配置される。トレイ８０、１２０、１３０、１４０は、当該離間距離だけ前後方向８の長さＬ４、Ｌ９が短くされる。
【符号の説明】
【００６８】
１０・・・インクジェット記録装置
４０・・・記録部
５０・・・第１搬送ローラ対
５４・・・第２搬送ローラ対
８０・・・トレイ
８４・・・記録メディア（被記録媒体）
９０・・・トレイガイド
９１・・・ベースプレート
９７・・・第１傾斜面
９８・・・第２傾斜面
１００・・サイドガイド
１０１・・第１ガイド面
１０２・・第２ガイド面
１０４・・上ガイド
１０６・・第３ガイド面
１１２・・突起
１２１・・第１幅部
１２２・・第２幅部
【図１】
0005699627.tif 000002
【図２】
0005699627.tif 000003
【図３】
0005699627.tif 000004
【図４】
0005699627.tif 000005
【図５】
0005699627.tif 000006
【図６】
0005699627.tif 000007
【図７】
0005699627.tif 000008
【図８】
0005699627.tif 000009
【図９】
0005699627.tif 000010
【図１０】
0005699627.tif 000011
【図１１】
0005699627.tif 000012